(57)【要約】【課題】  チェーンまたは紐状のものにピンチを３センチ以上の間隔で複数個取り付けるとともに、チェーンの両端にフックを取り付けた洗濯物干し具を提供する。【解決手段】  ピンチ紐4に取り付けたピンチ1を、チェーン2に３センチ以上の間隔で複数個取り付け、チェーン2の両端に取り付けたフック3で物干しハンガー7に吊す。そのチェーン2を縦又は色々な形状で物干しハンガー7や物干し竿に吊り、洗濯物5を今まで利用されていなかった空間にまで干せる様にした、洗濯物干し具である。【選択図】 図1
2011078653.tif 000002
【特許請求の範囲】
【請求項１】
紐状体に、ピンチを複数個取り付けるとともに、チェーンの両端にフックを付けた事を特徴とする洗濯物干し具。
【請求項２】
紐状体がチェーンである、請求項1記載の洗濯物干し具。
【発明の詳細な説明】
【技術分野】
【０００１】
本発明は、洗濯物干し具に関するものである。
【背景技術】
【０００２】
従来は、物干しハンガーや物干し竿に取り付けてあるピンチに洗濯物を干す場合、洗濯物がピンチの数より多くある場合は、ピンチの数が足りなくて干しきれない。干しきれない時に、物干しハンガーや物干し竿を増やすとじゃまになる。また、ベランダなどにまだ干せる空間があっても、嵩張る物干しハンガーや、物干し竿では狭い場所には干すことが出来ない。また、物干し竿や、二つ折りに出来る物干しハンガーでも、収納に場所をとってじゃまになるなどの欠点があった。
【発明の概要】
【発明が解決しようとする課題】
【０００３】
本発明は、このような課題を解決し、場所を選ばない洗濯物干し具を提供するものである。
【課題を解決するための手段】
【０００４】
本発明は、チェーンまたは紐状のものにピンチを３センチ以上の間隔で複数個取り付けるとともに、チェーンの両端に取り付けたフックで、物干しハンガーや物干し竿に吊り下げ、今まで利用されていなかった空間に洗濯物を無駄なく干せるようにした。
【発明の効果】
【０００５】
本発明は、物干しハンガーや物干し竿などに吊り下げて使用することにより、今まで利用されていなかった空間にまで洗濯物を無駄なく干す事が出来る。特に、女性の下着を見えにくい空間に干せるので、外から人に見られなくなり好都合である。また、チェーンや紐状のものにピンチが付いているだけのシンプルな形のため、取り扱いが簡単で収納に場所を取らない。また、縦でも横でも、どのような形にでも吊して使う事が出来るので、限られた空間に無駄なく干す事が出来る。また、物干し竿が平行に並んでいるときは、物干し竿どうしを洗濯物干し具両端のフックを引っかけてつなぐと、物干し竿と物干し竿の間の空間にも洗濯物を干すことが出来る。
また、チェーンは自由に曲がるので、収納するときに簡単で場所をとらない。また、ベランダなどの余った空間に一度に洗濯物が干せるので、洗濯に費やす時間の短縮と作業能率が上がり、時間にゆとりが出来るという効果が生まれた。
【発明を実施するための形態】
【０００６】
図面は、本発明の実施の形態を示し、図1において1はピンチである。
このピンチ1に取り付けたピンチ紐4は、チェーン2に３センチ以上の間隔で複数個取り付けられている。
チェーン2の両端には、物干しハンガー等にぶら下げるためのフック3を取り付けている。
ピンチ1の材質としては、雨や水に濡れても錆ないものなら何でも可能であるが、コストが安く加工しやすいプラスチックが適している。
チェーン2やフック3の材質も色々なものが考えられるが、やはり雨や水に強くて錆びにくく、コストの安いプラスチックが適している。また、ピンチ紐4は、水に強くて切れにくいものなら何でも可能であるが、コストが安くてしなやかな塩化ビニールの紐が適している。
図２は、図１の洗濯物干し具を物干しハンガー７の両端に引っかけて吊した例を示すもので、5は洗濯物、7は物干しハンガー、6は物干しハンガー7に干した洗濯物である。
チェーン2以外にも、穴あき紐や段付きの紐などを利用しても良い。
【実施例１】
【０００７】
以下、図１に示した洗濯物干し具の使用例を、図２を用いて説明すると、チェーン2の両端に取り付けたフック3を物干しハンガー7の両端部２ヶ所に引っかけて、チェーン2をＵ字状にぶら下げると、物干しハンガー7に干した洗濯物6の下の、今まで干すことが出来なかった空間にも洗濯物5を干すことが出来る。また、チェーン2の片端を物干しハンガー7に吊すと、チェーン2が縦方向にぶら下がるため、洗濯物5を床面ギリギリまで縦に干すことが出来る。
また、チェーン2は自由に形を変えてどのようにも干すことが出来るので、狭い空間にも無駄なく干すことが出来る。また、フック3を引っかける突起があれば、物干しハンガー7や物干し竿が無い場所でも干す事が出来る。
【図面の簡単な説明】
【０００８】
【図１】本発明に係わる洗濯物干し具の平面図である。
【図２】本発明に係わる洗濯物干し具を、物干しハンガーにぶら下げた状態を示す斜視図である。
【符号の説明】
【０００９】
1      ピンチ
2      チェーン
3      フック
4      ピンチ紐
5、6   洗濯物
7      物干しハンガー
【図１】
2011078653.tif 000003
【図２】
2011078653.tif 000004
【手続補正書】
【提出日】平成21年10月15日(2009.10.15)
【手続補正１】
【補正対象書類名】明細書
【補正対象項目名】全文
【補正方法】変更
【補正の内容】
【発明の詳細な説明】
【技術分野】
【０００１】
本発明は、洗濯物干し具に関するものである。
【背景技術】
【０００２】
従来は、物干しハンガーや物干し竿に取り付けてあるピンチに洗濯物を干す場合、洗濯物
がピンチの数より多くある場合は、ピンチの数が足りなくて干しきれない。干しきれない
時に、物干しハンガーや物干し竿を増やすとじゃまになる。また、ベランダなどにまだ干
せる空間があっても、嵩張る物干しハンガーや、物干し竿では狭い場所には干すことが出
来ない。また、物干し竿や、二つ折りに出来る物干しハンガーでも、収納に場所をとって
じゃまになるなどの欠点があった。
【先行技術文献】
【特許文献】
【０００３】
【特許文献１】実開平5-88493
【特許文献２】実開平11-76692
【発明の概要】
【発明が解決しようとする課題】
【０００４】
本発明は、このような課題を解決し、場所を選ばない洗濯物干し具を提供するものである。
【課題を解決するための手段】
【０００５】
本発明は、チェーンまたは紐状のものにピンチを３センチ以上の間隔で複数個取り付ける
とともに、チェーンの両端に取り付けたフックで、物干しハンガーや物干し竿に吊り下げ
、今まで利用されていなかった空間に洗濯物を無駄なく干せるようにした。
【発明の効果】
【０００６】
本発明は、物干しハンガーや物干し竿などに吊り下げて使用することにより、今まで利用
されていなかった空間にまで洗濯物を無駄なく干す事が出来る。特に、女性の下着を見え
にくい空間に干せるので、外から人に見られなくなり好都合である。また、チェーンや紐
状のものにピンチが付いているだけのシンプルな形のため、取り扱いが簡単で収納に場所
を取らない。また、縦でも横でも、どのような形にでも吊して使う事が出来るので、限ら
れた空間に無駄なく干す事が出来る。また、物干し竿が平行に並んでいるときは、物干し
竿どうしを洗濯物干し具両端のフックを引っかけてつなぐと、物干し竿と物干し竿の間の
空間にも洗濯物を干すことが出来る。
また、チェーンは自由に曲がるので、収納するときに簡単で場所をとらない。また、ベラ
ンダなどの余った空間に一度に洗濯物が干せるので、洗濯に費やす時間の短縮と作業能率
が上がり、時間にゆとりが出来るという効果が生まれた。
【発明を実施するための形態】
【０００７】
図面は、本発明の実施の形態を示し、図1において1はピンチである。
このピンチ1に取り付けたピンチ紐4は、チェーン2に３センチ以上の間隔で複数個取り付
けられている。
チェーン2の両端には、物干しハンガー等にぶら下げるためのフック3を取り付けている。
ピンチ1の材質としては、雨や水に濡れても錆ないものなら何でも可能であるが、コスト
が安く加工しやすいプラスチックが適している。
チェーン2やフック3の材質も色々なものが考えられるが、やはり雨や水に強くて錆びにく
く、コストの安いプラスチックが適している。また、ピンチ紐4は、水に強くて切れにく
いものなら何でも可能であるが、コストが安くてしなやかな塩化ビニールの紐が適してい
る。
図２は、図１の洗濯物干し具を物干しハンガー７の両端に引っかけて吊した例を示すもの
で、5は洗濯物、7は物干しハンガー、6は物干しハンガー7に干した洗濯物である。
チェーン2以外にも、穴あき紐や段付きの紐などを利用しても良い。
【実施例１】
【０００８】
以下、図１に示した洗濯物干し具の使用例を、図２を用いて説明すると、チェーン2の両
端に取り付けたフック3を物干しハンガー7の両端部２ヶ所に引っかけて、チェーン2をＵ
字状にぶら下げると、物干しハンガー7に干した洗濯物6の下の、今まで干すことが出来な
かった空間にも洗濯物5を干すことが出来る。また、チェーン2の片端を物干しハンガー7
に吊すと、チェーン2が縦方向にぶら下がるため、洗濯物5を床面ギリギリまで縦に干すこ
とが出来る。
また、チェーン2は自由に形を変えてどのようにも干すことが出来るので、狭い空間にも
無駄なく干すことが出来る。また、フック3を引っかける突起があれば、物干しハンガー7
や物干し竿が無い場所でも干す事が出来る。
【図面の簡単な説明】
【０００９】
【図１】本発明に係わる洗濯物干し具の平面図である。
【図２】本発明に係わる洗濯物干し具を、物干しハンガーにぶら下げた状態を示す斜視図である。
【符号の説明】
【００１０】
1      ピンチ
2      チェーン
3      フック
4      ピンチ紐
5、6   洗濯物
7      物干しハンガー